(57)【要約】  優先取り扱いを提供するために、移動デバイス／ＵＥが、公共安全アクセスポイント（ＰＳＡＰ）への通話またはＰＳＡＰからのコールバックを識別する。かけられている通話が緊急通話であることをＵＥが検出しないとき、ネットワークが、緊急の性質の通話確立の間に識別を容易にする。Ｐｒｉｏｒｉｔｙヘッダを特徴的な値（例えば、“緊急−通話”）に、または、Ｐ−Ａｓｓｅｒｔｅｄ−Ｉｄｅｎｔｉｔｙを特徴的な値（例えば、ｕｒｎ：ｓｅｒｖｉｃｅｓ：ｓｏｓ）に設定することにより、ＳＩＰ応答中で通話を緊急通話として識別する。ＰＳＡＰが移動／ＵＥにコールバックすることを選ぶとき、移動／ＵＥは、何らかの進行中の通話を終了させて、ＰＳＡＰから、この通話を受け入れることができ、通話の間に他の補足のサービス（例えば、コールウェイティング、三者間通話など）をディセーブルすることができる。
2011523266.tif 000002
【特許請求の範囲】
【請求項１】
公共安全アクセスポイント（ＰＳＡＰ）と通信するユーザ機器を使用して、緊急通話の優先取り扱いを実行する方法において、
コンピュータ読み取り可能記憶媒体に記憶されているコンピュータ実行可能命令を実行するプロセッサを用いて以下の動作を実現することを含み、
前記動作は、
ユーザ機器において、ＰＳＡＰから発信しているデータパケット通信を受信することと、
緊急通話を識別する、前記データパケット通信のためのヘッダを検出することと、
前記緊急通話の優先取り扱いを実行することとを含む方法。
【請求項２】
前記ユーザ機器において、前記ＰＳＡＰとのデータパケット通信をワイヤレスに確立することをさらに含む請求項１記載の方法。
【請求項３】
ユーザ機器のユーザインターフェース上で、緊急通話を示すアラートを実行することにより、優先取り扱いを実行することをさらに含む請求項１記載の方法。
【請求項４】
ユーザ選択によりディセーブルされたユーザインターフェース機能をイネーブルにすることにより、優先取り扱いを実行することをさらに含む請求項３記載の方法。
【請求項５】
現在の通信セッションを遮断して前記緊急通話を受信することにより、優先取り扱いを実行することをさらに含む請求項１記載の方法。
【請求項６】
前記ＰＳＡＰに結合され、ネットワークエンティティにより設定されたインターネットプロトコルマルチメディアサブシステム（ＩＭＳ）から前記データパケット通信を受信することをさらに含む請求項１記載の方法。
【請求項７】
前記ヘッダは、メディアゲートウェイ制御機能（ＭＧＣＦ）の前記ネットワークエンティティまたは前記ＰＳＡＰにより設定される請求項６記載の方法。
【請求項８】
前記ヘッダは、Ｐ−Ａｓｓｅｒｔｅｄ−Ｉｄｅｎｔｉｔｙである請求項１記載の方法。
【請求項９】
前記Ｐ−Ａｓｓｅｒｔｅｄ−Ｉｄｅｎｔｉｔｙは、ユニフォームリソースインジケータ（ＵＲＩ）またはユニフォームリソースネーム（ＵＲＮ）に設定される請求項８記載の方法。
【請求項１０】
前記Ｐ−Ａｓｓｅｒｔｅｄ−Ｉｄｅｎｔｉｔｙは、“ｕｒｎ：ｓｅｒｖｉｃｅｓ：ｓｏｓ”に設定される請求項９記載の方法。
【請求項１１】
前記ヘッダは、Ｐｒｉｏｒｉｔｙヘッダである請求項１記載の方法。
【請求項１２】
前記Ｐｒｉｏｒｉｔｙヘッダは、“緊急−コールバック”に設定される請求項１１記載の方法。
【請求項１３】
公共安全アクセスポイント（ＰＳＡＰ）と通信するユーザ機器を使用して、緊急通話の優先取り扱いを実行するコンピュータプログラムプロダクトにおいて、
以下のコンピュータ実行可能コンポーネントを記憶しているコンピュータ読み取り可能媒体に動作可能に結合されたプロセッサを具備し、
前記コンピュータ実行可能コンポーネントは、
ユーザ機器において、ＰＳＡＰから発信しているデータパケット通信をコンピュータに受信させるための１組のコードと、
緊急通話を識別する、前記データパケット通信のためのヘッダを、前記コンピュータに検出させるための１組のコードと、
前記緊急通話の優先取り扱いを前記コンピュータに実行させるための１組のコードとを備えるコンピュータプログラムプロダクト。
【請求項１４】
公共安全アクセスポイント（ＰＳＡＰ）と通信するユーザ機器を使用して、緊急通話の優先取り扱いを実行する装置において、
少なくとも１つのプロセッサと、
前記少なくとも１つのプロセッサにより実行されるとき以下のコンポーネントを実現するコンピュータ実行可能命令を記憶している、少なくとも１つのコンピュータ読み取り可能記憶媒体とを具備し、
前記コンポーネントは、
ユーザ機器において、ＰＳＡＰから発信しているデータパケット通信を受信する手段と、
緊急通話を識別する、前記データパケット通信のためのヘッダを検出する手段と、
前記緊急通話の優先取り扱いを実行する手段とを備える装置。
【請求項１５】
公共安全アクセスポイント（ＰＳＡＰ）と通信するユーザ機器を使用して、緊急通話の優先取り扱いを実行する装置において、
ネットワークに送信する送信機と、
前記ネットワークから受信する受信機と、
前記受信機により、ＰＳＡＰから発信しているデータパケット通信をユーザ機器において受信し、緊急通話を識別する、前記データパケット通信のためのヘッダを検出し、前記緊急通話の優先取り扱いを実行する、計算プラットフォームとを具備する装置。
【請求項１６】
前記送信機および受信機は、さらに、前記ＰＳＡＰとのデータパケット通信を、前記ユーザ機器においてワイヤレスに確立するためのものである請求項１５記載の装置。
【請求項１７】
緊急通話を示すアラートを実行することにより優先取り扱いを実行する、ユーザ機器のユーザインターフェースをさらに具備する請求項１５記載の装置。
【請求項１８】
前記計算プラットフォームは、さらに、ユーザ選択によりディセーブルされたユーザインターフェース機能をイネーブルにすることにより、優先取り扱いを実行するためのものである請求項１７記載の装置。
【請求項１９】
前記計算プラットフォームは、さらに、現在の通信セッションを遮断して前記緊急通話を受信することにより、優先取り扱いを実行するためのものである請求項１５記載の装置。
【請求項２０】
前記計算プラットフォームは、さらに、前記ＰＳＡＰに結合され、ネットワークエンティティにより設定されたインターネットプロトコルマルチメディアサブシステム（ＩＭＳ）から前記データパケット通信を受信するためのものである請求項１５記載の装置。
【請求項２１】
前記ヘッダは、メディアゲートウェイ制御機能（ＭＧＣＦ）の前記ネットワークエンティティまたは前記ＰＳＡＰにより設定される請求項２０記載の装置。
【請求項２２】
前記ヘッダは、Ｐ−Ａｓｓｅｒｔｅｄ−Ｉｄｅｎｔｉｔｙである請求項１５記載の装置。
【請求項２３】
前記Ｐ−Ａｓｓｅｒｔｅｄ−Ｉｄｅｎｔｉｔｙは、ユニフォームリソースインジケータ（ＵＲＩ）またはユニフォームリソースネーム（ＵＲＮ）に設定される請求項２２記載の装置。
【請求項２４】
前記Ｐ−Ａｓｓｅｒｔｅｄ−Ｉｄｅｎｔｉｔｙは、“ｕｒｎ：ｓｅｒｖｉｃｅｓ：ｓｏｓ”に設定される請求項２３記載の装置。
【請求項２５】
前記ヘッダは、Ｐｒｉｏｒｉｔｙヘッダである請求項１５記載の装置。
【請求項２６】
前記Ｐｒｉｏｒｉｔｙヘッダは、“緊急−コールバック”に設定される請求項２５記載の装置。
【請求項２７】
ユーザ機器（ＵＥ）により検出されない緊急通話発信のための方法において、
コンピュータ読み取り可能記憶媒体に記憶されているコンピュータ実行可能命令を実行するプロセッサを用いて以下の動作を実現することを含み、
前記動作は、
ユーザ機器（ＵＥ）により検出されない緊急通話を発信することと、
前記通話を緊急通話として識別する、応答中のヘッダから検出することと、
前記緊急通話の優先取り扱いを実行することとを含む方法。
【請求項２８】
前記ユーザ機器において、前記ＰＳＡＰとのデータパケット通信をワイヤレスに確立することをさらに含む請求項２７記載の方法。
【請求項２９】
ユーザ機器のユーザインターフェース上で、緊急通話を示すアラートを実行することにより、優先取り扱いを実行することをさらに含む請求項２７記載の方法。
【請求項３０】
ユーザ選択によりディセーブルされたユーザインターフェース機能をイネーブルにすることにより、優先取り扱いを実行することをさらに含む請求項２９記載の方法。
【請求項３１】
現在の通信セッションを遮断して前記緊急通話を受信することにより、優先取り扱いを実行することをさらに含む請求項２７記載の方法。
【請求項３２】
前記ＰＳＡＰに結合されたインターネットプロトコルマルチメディアサブシステム（ＩＭＳ）から前記データパケット通信を受信することをさらに含み、前記ヘッダは、ネットワークエンティティにより設定される請求項２７記載の方法。
【請求項３３】
前記ネットワークエンティティは、プロキシ通話セッション制御機能（Ｐ−ＣＳＣＦ）または緊急通話セッション制御機能（Ｅ−ＣＳＣＦ）を備える請求項３２記載の方法。
【請求項３４】
前記ヘッダは、Ｐ−Ａｓｓｅｒｔｅｄ−Ｉｄｅｎｔｉｔｙである請求項２７記載の方法。
【請求項３５】
前記Ｐ−Ａｓｓｅｒｔｅｄ−Ｉｄｅｎｔｉｔｙは、ユニフォームリソースインジケータ（ＵＲＩ）またはユニフォームリソースネーム（ＵＲＮ）に設定される請求項３４記載の方法。
【請求項３６】
前記Ｐ−Ａｓｓｅｒｔｅｄ−Ｉｄｅｎｔｉｔｙは、“ｕｒｎ：ｓｅｒｖｉｃｅｓ：ｓｏｓ”に設定される請求項３５記載の方法。
【請求項３７】
前記ヘッダは、Ｐｒｉｏｒｉｔｙヘッダである請求項２７記載の方法。
【請求項３８】
前記Ｐｒｉｏｒｉｔｙヘッダは、“緊急−通話”に設定される請求項３７記載の方法。
【請求項３９】
ユーザ機器（ＵＥ）により検出されない緊急通話発信のための装置において、
少なくとも１つのプロセッサと、
前記少なくとも１つのプロセッサにより実行されるとき以下のコンポーネントを実現するコンピュータ実行可能命令を記憶している、少なくとも１つのコンピュータ読み取り可能記憶媒体とを具備し、
前記コンポーネントは、
ユーザ機器（ＵＥ）により検出されない緊急通話を発信する手段と、
前記通話を緊急通話として識別する、応答中のヘッダから検出する手段と、
前記緊急通話の優先取り扱いを実行する手段とを備える装置。
【請求項４０】
ユーザ機器（ＵＥ）により検出されない緊急通話発信のための装置において、
ネットワークからデータパケット通信を受信する受信機と、
ユーザ機器（ＵＥ）により検出されない緊急通話を発信する送信機と、
前記受信機により受信され、前記通話を緊急通話として識別する、応答中のヘッダから検出して、前記緊急通話の優先取り扱いを実行する計算プラットフォームとを具備する装置。
【請求項４１】
前記送信機および受信機は、さらに、前記ＰＳＡＰとのデータパケット通信を、前記ユーザ機器においてワイヤレスに確立するためのものである請求項４０記載の装置。
【請求項４２】
前記計算プラットフォームは、さらに、ユーザ機器のユーザインターフェース上で、緊急通話を示すアラートを実行することにより優先取り扱いを実行するためのものである請求項４０記載の装置。
【請求項４３】
前記計算プラットフォームは、さらに、ユーザ選択によりディセーブルされたユーザインターフェース機能をイネーブルにすることにより、優先取り扱いを実行するためのものである請求項４２記載の装置。
【請求項４４】
前記計算プラットフォームは、さらに、現在の通信セッションを遮断して前記緊急通話を受信することにより、優先取り扱いを実行するためのものである請求項４０記載の装置。
【請求項４５】
前記計算プラットフォームは、さらに、前記ＰＳＡＰに結合されたインターネットプロトコルマルチメディアサブシステム（ＩＭＳ）から前記データパケット通信を受信するためのものであり、前記ヘッダは、ネットワークエンティティにより設定される請求項４０記載の装置。
【請求項４６】
前記ネットワークエンティティは、プロキシ通話セッション制御機能（Ｐ−ＣＳＣＦ）または緊急通話セッション制御機能（Ｅ−ＣＳＣＦ）を備える請求項４５記載の装置。
【請求項４７】
前記ヘッダは、Ｐ−Ａｓｓｅｒｔｅｄ−Ｉｄｅｎｔｉｔｙである請求項４０記載の装置。
【請求項４８】
前記Ｐ−Ａｓｓｅｒｔｅｄ−Ｉｄｅｎｔｉｔｙは、ユニフォームリソースインジケータ（ＵＲＩ）またはユニフォームリソースネーム（ＵＲＮ）に設定される請求項４７記載の装置。
【請求項４９】
前記Ｐ−Ａｓｓｅｒｔｅｄ−Ｉｄｅｎｔｉｔｙは、“ｕｒｎ：ｓｅｒｖｉｃｅｓ：ｓｏｓ”に設定される請求項４８記載の装置。
【請求項５０】
前記ヘッダは、Ｐｒｉｏｒｉｔｙヘッダである請求項４０記載の装置。
【請求項５１】
前記Ｐｒｉｏｒｉｔｙヘッダは、“緊急−通話”に設定される請求項５０記載の装置。
【請求項５２】
公共安全アクセスポイント（ＰＳＡＰ）との通信を確立しているユーザ機器により緊急通話の優先取り扱いを実行することを容易にするネットワークのための方法において、
コンピュータ読み取り可能記憶媒体に記憶されているコンピュータ実行可能命令を実行するプロセッサを用いて、以下の動作を実現することを含み、
前記動作は、
ユーザ機器とＰＳＡＰとの間でデータパケット通信を転送することと、
前記データパケット通信を緊急通話として識別することと、
前記ユーザ機器が前記緊急通話の優先取り扱いを実行することを促すために、前記通話を緊急通話として識別する、通信のためのヘッダを、前記ＰＳＡＰから前記ユーザ機器に中継することとを含む方法。
【請求項５３】
無線アクセスノードと前記ユーザ機器との間でワイヤレスに通信することにより、前記ヘッダを中継することをさらに含む請求項５２記載の方法。
【請求項５４】
前記ＰＳＡＰに対して前記ユーザ機器により開始された通話を受信することと、
前記ユーザ機器が前記通話を緊急通話として識別したことを検出することと、
通話遮断の後で前記ＰＳＡＰからのコールバックを容易にすることにより、緊急通話のためのヘッダを有する前記ヘッダを中継することとをさらに含む請求項５２記載の方法。
【請求項５５】
前記ＰＳＡＰに対して前記ユーザ機器により開始された、緊急通話として自己識別されない通話を受信することと、
前記ＰＳＡＰの、その通話宛先を決定することに応答して、前記通話を緊急通話として識別するヘッダを中継することとをさらに含む請求項５２記載の装置。
【請求項５６】
前記緊急通話を識別する前記ヘッダ中で“緊急コールバック”値を設定することにより、前記ヘッダを中継することをさらに含む請求項５２記載の方法。
【請求項５７】
前記ＰＳＡＰに結合されたインターネットプロトコルマルチメディアサブシステム（ＩＭＳ）からのデータパケット通信を容易にすることをさらに含み、前記ヘッダは、メディアゲートウェイ制御機能（ＭＧＣＦ）により設定される請求項５２記載の方法。
【請求項５８】
セッション開始プロトコル（ＳＩＰ）メッセージを発信する前記ＰＳＡＰにより設定されたＰ−ａｓｓｅｒｔｅｄ Ｉｄｅｎｔｉｔｙヘッダを中継することをさらに含む請求項５２記載の方法。
【請求項５９】
セッション開始プロトコル（ＳＩＰ）メッセージを発信するメディアゲートウェイ制御機能（ＭＧＣＦ）により設定されたＰ−ａｓｓｅｒｔｅｄ Ｉｄｅｎｔｉｔｙヘッダを中継することをさらに含む請求項５２記載の方法。
【請求項６０】
通話がＰＳＡＰから発信していることを示すユニフォームリソース識別子（ＵＲＩ）に設定された前記Ｐ−Ａｓｓｅｒｔｅｄ Ｉｄｅｎｔｉｔｙヘッダを中継することをさらに含む請求項５９記載の方法。
【請求項６１】
前記ＵＲＩ値“ｕｒｎ：ｓｅｒｖｉｃｅｓ：ｓｏｓ”に設定された前記Ｐ−Ａｓｓｅｒｔｅｄ Ｉｄｅｎｔｉｔｙヘッダを中継することをさらに含む請求項６０記載の方法。
【請求項６２】
公共安全アクセスポイント（ＰＳＡＰ）との通信を確立しているユーザ機器により緊急通話の優先取り扱いを実行することを容易にするネットワークのためのコンピュータプログラムプロダクトにおいて、
以下のコンピュータ実行可能コンポーネントを記憶しているコンピュータ読み取り可能媒体に動作可能に結合されたプロセッサを具備し、
前記コンピュータ実行可能コンポーネントは、
ユーザ機器とＰＳＡＰとの間でデータパケット通信をコンピュータに転送させるための１組のコードと、
前記データパケット通信を緊急通話として前記コンピュータに識別させるための１組のコードと、
前記ユーザ機器が前記緊急通話の優先取り扱いを実行することを促すために、前記通話を緊急通話として識別する、通信のためのヘッダを、前記ＰＳＡＰから前記ユーザ機器に前記コンピュータに中継させるための１組のコードとを備えるコンピュータプログラムプロダクト。
【請求項６３】
公共安全アクセスポイント（ＰＳＡＰ）との通信を確立しているユーザ機器により緊急通話の優先取り扱いを実行することを容易にするネットワークのための装置において、
少なくとも１つのプロセッサと、
前記少なくとも１つのプロセッサにより実行されるとき以下のコンポーネントを実現するコンピュータ実行可能命令を記憶している、少なくとも１つのコンピュータ読み取り可能記憶媒体とを具備し、
前記コンポーネントは、
ユーザ機器とＰＳＡＰとの間でデータパケット通信を転送する手段と、
前記データパケット通信を緊急通話として識別する手段と、
前記ユーザ機器が前記緊急通話の優先取り扱いを実行することを促すために、前記通話を緊急通話として識別する、通信のためのヘッダを、前記ＰＳＡＰから前記ユーザ機器に中継する手段とを備える装置。
【請求項６４】
公共安全アクセスポイント（ＰＳＡＰ）との通信を確立しているユーザ機器により緊急通話の優先取り扱いを実行することを容易にするネットワークのための装置において、
ユーザ機器とＰＳＡＰとの間でデータパケット通信を転送する、アップリンクおよびダウンリンクと、
前記データパケット通信を緊急通話として識別する計算プラットフォームとを具備し、
前記ダウンリンクはさらに、前記ユーザ機器が前記緊急通話の優先取り扱いを実行することを促すために、前記通話を緊急通話として識別する、通信のためのヘッダを、前記ＰＳＡＰから前記ユーザ機器に中継する装置。
【請求項６５】
前記ヘッダを前記ユーザ機器にワイヤレスに中継する無線アクセスノードをさらに具備する請求項６４記載の装置。
【請求項６６】
前記アップリンクは、さらに、前記ＰＳＡＰに対して前記ユーザ機器により開始された通話を受信するためのものであり、
前記計算プラットフォームは、さらに、前記ユーザ機器が前記通話を緊急通話として識別したことを検出するためのものであり、
前記ダウンリンクは、さらに、通話遮断の後で前記ＰＳＡＰからのコールバックを容易にすることにより、緊急通話のためのヘッダを有する前記ヘッダを中継するためのものである請求項６４記載の装置。
【請求項６７】
前記アップリンクは、さらに、前記ＰＳＡＰに対して前記ユーザ機器により開始された、緊急通話として自己識別されない通話を受信するためのものであり、
前記ダウンリンクは、さらに、前記ＰＳＡＰの、その通話宛先を決定することに応答して、前記通話を緊急通話として識別するヘッダを中継するためのものである請求項６４記載の装置。
【請求項６８】
前記ダウンリンクは、さらに、前記緊急通話を識別する前記ヘッダ中で“緊急コールバック”値を設定することにより、前記ヘッダを中継するためのものである請求項６４記載の装置。
【請求項６９】
前記計算プラットフォームは、さらに、前記ＰＳＡＰに結合されたインターネットプロトコルマルチメディアサブシステム（ＩＭＳ）からのデータパケット通信を容易にするためのものであり、前記ヘッダは、メディアゲートウェイ制御機能（ＭＧＣＦ）により設定される請求項６４記載の装置。
【請求項７０】
前記ダウンリンクは、さらに、セッション開始プロトコル（ＳＩＰ）メッセージを発信する前記ＰＳＡＰにより設定されたＰ−ａｓｓｅｒｔｅｄ Ｉｄｅｎｔｉｔｙヘッダを中継するためのものである請求項６４記載の装置。
【請求項７１】
前記ダウンリンクは、さらに、セッション開始プロトコル（ＳＩＰ）メッセージを発信するメディアゲートウェイ制御機能（ＭＧＣＦ）により設定されたＰ−ａｓｓｅｒｔｅｄ Ｉｄｅｎｔｉｔｙヘッダを中継するためのものである請求項６４記載の装置。
【請求項７２】
前記ダウンリンクは、さらに、通話がＰＳＡＰから発信していることを示すユニフォームリソース識別子（ＵＲＩ）に設定された前記Ｐ−Ａｓｓｅｒｔｅｄ Ｉｄｅｎｔｉｔｙヘッダを中継するためのものである請求項６４記載の装置。
【請求項７３】
前記ダウンリンクは、さらに、前記ＵＲＩ値“ｕｒｎ：ｓｅｒｖｉｃｅｓ：ｓｏｓ”に設定された前記Ｐ−Ａｓｓｅｒｔｅｄ Ｉｄｅｎｔｉｔｙヘッダを中継するためのものである請求項７２記載の方法。
【発明の詳細な説明】
【合衆国法典第３５部第１１９条に基づく優先権の主張】
【０００１】
特許に対する本出願は、２００８年５月７日に出願され、本出願の譲受人に譲渡され、その全体が参照により明白にここに組み込まれている、“通話ヘッダ中で設定されている、予め定められている値に基づいて、移動局が通話を識別することを可能にするシステム、装置および方法”と題する仮出願第６１／０５１，３０４号に対する優先権を主張する。
【０００２】
特許に対する本出願は、２００８年７月１１日に出願され、本出願の譲受人に譲渡され、その全体が参照により明白にここに組み込まれている、“通話ヘッダ中で設定されている、予め定められている値に基づいて、移動局が通話を識別することを可能にするシステム、装置および方法”と題する仮出願第６１／０８０，１８８号に対する優先権を主張する。
【発明の分野】
【０００３】
ここで記述する、例示的で、限定的でない観点は一般に、ワイヤレス通信システム、方法、コンピュータプログラムプロダクトおよびデバイスに関し、より詳細には、通話ヘッダ中で設定されている、予め定められている値の組に基づいて、移動局またはユーザ機器（ＵＥ）が通話を識別することを可能にする技術に関する。
【背景】
【０００４】
公共安全応答ポイント（ＰＳＡＰ）は、警察、消火および救急車サービスに対する緊急電話番号への通話に答える役割を担うコールセンターである。これらの施設は、公共サービスアクセスポイント（ＰＳＡＰ）とも呼ばれている。訓練された電話オペレータが、通常、これらの緊急サービスを急派する役割を担当している。ほとんどのＰＳＡＰは現在、固定電話通話に対して、通話者の位置を特定することができ、多くのＰＳＡＰは、また、移動電話機の位置特定を取り扱うことができ、移動電話機会社は、ハンドセットの位置特定システムを有する。“９−１−１”通話と呼ばれることが多い、緊急通話サービスは、緊急通話の地理的起源に対して、適切なＰＳＡＰに自動的にルーティングされる。ＰＳＡＰは、位置決定を実行するために、通話の公衆電話交換ネットワーク（ＰＳＴＮ）起源を識別でき、万一通話が遮断された場合でも、コールバックを実施するという利益を享受する。
【０００５】
移動通信における最近の発展は、ＰＳＡＰにより緊急通話サービスを提供することに難題を投げかけており、そのような難題は、ユーザ機器（ＵＥ）の位置を特定するさまざまな方法を提供することにより対処されている。さらに、セッション開始プロトコル（ＳＩＰ）パケット化ＩＰ通話を受信および送信するための適応がなされている。ネットワーク側での大規模な発展は、少なくとも、すべてのユーザを担当し、最初の応答者に容易に知らせる領域または現場により、普遍的な解決法を生み出すことを求めている。
【０００６】
しかしながら、移動デバイスまたはユーザ機器（ＵＥ）の人口は、サービスプロバイダおよびデバイスのタイプにより、大きく変化する。ほとんどのユーザが、９−１−１通話をかける方法を知っているが、緊急通話として検出されない通話をＵＥから開始するときに、または、緊急コールバックを受信するときに、難題が存在する。先のケースにおいて、ＵＥは、緊急な状況において保証される、通信に対する適切な優先取り扱いを与えないかもしれない。後のケースにおいて、ＵＥが発信通話を優先度が高いものとして認識した場合でさえ、ＵＥは、コールバックが優先取り扱いを保証する緊急通話であることを認識しない。
【０００７】
ＰＳＡＰと連絡を取ることを試みるときに、ＵＥのユーザがセッションの遮断を体験するという、緊急の、ストレスの多い環境下にあるときを考慮する。ＰＳＡＰは、緊急のコールバックを開始できるが、その間に、ユーザは、支援を求める別の通話をかけることを試みている可能性がある。現在のセッションは、緊急コールバックの優先的性質を妨げるか、または、曖昧にする可能性がある。代わりに、または、さらに、第三者は、ＵＥのユーザが緊急の状況にあるか、または、そのような状況にある可能性があることをＰＳＡＰに警告し、ＰＳＡＰは、ユーザが緊急の“コールバック”を受信することを予期しないときに、緊急のコールバックを開始することを選ぶ。例えば、避難を要求する危険な状況が生じる可能性がある。ＵＥおよびＵＥのユーザは、そのような通話を日常的なものとして容易に取り扱い、時間が肝心な通信をとり損なうだけでなく、そのようなユーザと連絡を取ることを試みる、乏しい緊急リソースを渋滞させる可能性がある。
【概要】
【０００８】
開示した観点のうちのいくつかの観点の基本的な理解を提供するために、以下に簡略化した概要を与える。この概要は、広範な概観ではなく、そのような観点の主なまたは重要な要素を識別するようにも、そのような観点の範囲を詳細に描写するようにも向けられていない。その唯一の目的は、後に与えられるより詳細な説明に対するプレリュードとして、簡略化した形態で、開示した特徴のいくつかの概念を与えることである。
【０００９】
１つ以上の観点と、ここでの対応する開示とにしたがって、ユーザがアラーとされ、何らかの抑制データまたは通話セッションが、緊急通話セッションの確立を妨げることができないように、ユーザ機器（ＵＥ）（例えば、ユーザ端末、アクセス端末、ポータブル通信デバイスなど）において緊急通話を取り扱うことに関連して、さまざまな観点を記述する。ＵＥが緊急通話であることを検出することなく通話を開始する例において、ＰＳＡＰコールバックが、切断され検出された緊急通話の後で生じるときに、または、ＰＳＡＰがＵＥに対して通話を開始するときに、優先取り扱いが容易にされる。
【００１０】
１つの観点において、公共安全アクセスポイント（ＰＳＡＰ）と通信するユーザ機器を使用して、緊急通話の優先取り扱いを実行する方法を提供する。方法は、コンピュータ読み取り可能記憶媒体に記憶されているコンピュータ実行可能命令を実行するプロセッサを用いて以下の動作を実現することを含む。ＰＳＡＰから発信しているデータパケット通信が、ユーザ機器において受信される。緊急通話として識別されるヘッダが、データパケット通信に対して検出される。緊急通話の優先取り扱いが実行される。
【００１１】
別の観点において、公共安全アクセスポイント（ＰＳＡＰ）と通信するユーザ機器を使用して、緊急通話の優先取り扱いを実行するコンピュータプログラムプロダクトを提供する。プロセッサが、以下のコンピュータ実行可能コンポーネントを記憶しているコンピュータ読み取り可能媒体に動作可能に結合されている。１組のコードが、ユーザ機器において、ＰＳＡＰから発信しているデータパケット通信を受信することをコンピュータに生じさせる。１組のコードが、緊急通話を識別する、データパケット通信のためのヘッダを、コンピュータに検出させる。１組のコードが、緊急通話の優先取り扱いをコンピュータに実行させる。
【００１２】
追加の観点において、公共安全アクセスポイント（ＰＳＡＰ）と通信するユーザ機器を使用して、緊急通話の優先取り扱いを実行する装置を提供する。少なくとも１つのプロセッサにより実行されるとき以下のコンポーネントを実現するコンピュータ実行可能命令を、少なくとも１つのコンピュータ読み取り可能記憶媒体が記憶している。ユーザ機器において、ＰＳＡＰとのデータパケット通信を確立する手段を提供する。緊急通話としてデータパケット通信を識別する手段を提供する。緊急通話の優先取り扱いを実行する手段を提供する。
【００１３】
さらなる観点において、公共安全アクセスポイント（ＰＳＡＰ）と通信するユーザ機器を使用して、緊急通話の優先取り扱いを実行する装置を提供する。送信機は、ネットワークに送信するためのものである。受信機は、ネットワークから受信するためのものである。計算プラットフォームは、送信機および受信機により、ＰＳＡＰとのデータパケット通信をユーザ機器において確立し、データパケット通信を緊急通話として識別し、緊急通話の優先取り扱いを実行するためのものである。
【００１４】
別の追加の観点において、コンピュータ読み取り可能記憶媒体に記憶されているコンピュータ実行可能命令を実行するプロセッサを用いて以下の動作を実現することにより、ユーザ機器（ＵＥ）により検出されない緊急通話発信のための方法を提供する。ユーザ機器（ＵＥ）は、検出されない緊急通話を発信し、通話を緊急通話として識別する、応答中のヘッダを検出し、緊急通話の優先取り扱いを実行する。
【００１５】
さらに別の追加の観点において、ユーザ機器（ＵＥ）により検出されない緊急通話発信のための装置を提供する。装置は、少なくとも１つのプロセッサにより実行されるとき以下のコンポーネントを実現するコンピュータ実行可能命令を記憶している、少なくとも１つのコンピュータ読み取り可能記憶媒体を備える。ユーザ機器（ＵＥ）により検出されない緊急通話を発信する手段を提供する。通話を緊急通話として識別する、応答中のヘッダから検出する手段を提供する。緊急通話の優先取り扱いを実行する手段を提供する。
【００１６】
さらなる観点において、ユーザ機器（ＵＥ）により検出されない緊急通話発信のための装置を提供する。受信機は、ネットワークからデータパケット通信を受信するためのものである。送信機は、ユーザ機器（ＵＥ）により検出されない緊急通話を発信するためのものである。計算プラットフォームは、受信機により受信され、通話を緊急通話として識別する、応答中のヘッダから検出して、緊急通話の優先取り扱いを実行するためのものである。
【００１７】
さらに１つの観点において、公共安全アクセスポイント（ＰＳＡＰ）との通信を確立しているユーザ機器により緊急通話の優先取り扱いを実行することを容易にするネットワークのための方法を提供する。方法は、コンピュータ読み取り可能記憶媒体に記憶されているコンピュータ実行可能命令を実行するプロセッサを用いて、以下の動作を実現することを含む。データパケット通信が、ユーザ機器とＰＳＡＰとの間で転送される。データパケット通信が緊急通話として識別される。ユーザ機器が前記緊急通話の優先取り扱いを実行することを促すために、通話を緊急通話として識別する、通信のためのヘッダが、ＰＳＡＰからユーザ機器に中継される。
【００１８】
さらに別の観点において、公共安全アクセスポイント（ＰＳＡＰ）との通信を確立しているユーザ機器により緊急通話の優先取り扱いを実行することを容易にするネットワークのためのコンピュータプログラムプロダクトを提供する。プロセッサが、以下のコンピュータ実行可能コンポーネントを記憶しているコンピュータ読み取り可能媒体に動作可能に結合されている。１組のコードが、ユーザ機器とＰＳＡＰとの間でデータパケット通信を転送することをコンピュータに生じさせる。１組のコードが、データパケット通信を緊急通話としてコンピュータに識別させる。１組のコードが、ユーザ機器が前記緊急通話の優先取り扱いを実行することを促すために、通話を緊急通話として識別する、通信のためのヘッダを、ＰＳＡＰからユーザ機器にコンピュータに中継させる。
【００１９】
さらに別の観点において、公共安全アクセスポイント（ＰＳＡＰ）との通信を確立しているユーザ機器により緊急通話の優先取り扱いを実行することを容易にするネットワークのための装置を提供する。装置は、少なくとも１つのプロセッサにより実行されるとき以下のコンポーネントを実現するコンピュータ実行可能命令を記憶している、少なくとも１つのコンピュータ読み取り可能記憶媒体を備える。ユーザ機器とＰＳＡＰとの間でデータパケット通信を転送する手段を提供する。データパケット通信を緊急通話として識別する手段を提供する。ユーザ機器が緊急通話の優先取り扱いを実行することを促すために、通話を緊急通話として識別する、通信のためのヘッダを、ＰＳＡＰからユーザ機器に中継する手段を提供する。
【００２０】
さらなる観点において、公共安全アクセスポイント（ＰＳＡＰ）との通信を確立しているユーザ機器により緊急通話の優先取り扱いを実行することを容易にするネットワークのための装置を提供する。アップリンクおよびダウンリンクが、ユーザ機器とＰＳＡＰとの間でデータパケット通信を転送する。計算プラットフォームが、データパケット通信を緊急通話として識別する。ダウンリンクはさらに、ユーザ機器が緊急通話の優先取り扱いを実行することを促すために、通話を緊急通話として識別する、通信のためのヘッダを、ＰＳＡＰからユーザ機器に中継する。
【００２１】
先のおよび関連する目的を達成するために、１つ以上の観点は、以下で十分に記述し、特に特許請求の範囲において示す特徴を備えている。以下の記述および添付図面は、いくつかの実例となる観点を詳細に示すが、本観点の原理を用いてもよいさまざまな方法のうちのほんのいくつかを表すにすぎない。図面とともに考慮したとき、他の利点および新規の特徴が、以下の詳細な説明から明らかになり、開示した観点は、このようなすべての観点およびそれらの均等物を含むように向けられている。
【図面の簡単な説明】
【００２２】
同一の参照文字が、それに応じて全体を通して識別する図面を参照すると、以下で示される詳細な説明から、本開示の特徴、本質および利点がより明白となろう。
【図１】図１は、公共安全アクセスポイント（ＰＳＡＰ）から緊急通話を受信するユーザ機器（ＵＥ）のブロック図を図示する。
【図２】図２は、緊急通話と、コールバックと、移動／ＵＥによる、優先された応答とを容易にする通信ネットワークのブロック図を図示する。
【図３Ａ】図３Ａは、受信した緊急通話に対する、ＵＥにおける、優先取り扱いの方法のタイミング図を図示する。
【図３Ｂ】図３Ｂは、受信した緊急通話に対する、ＵＥにおける、優先取り扱いの方法のタイミング図を図示する。
【図４】図４は、例示的な通信システムのブロック図を図示する。
【図５】図５は、本発明の１つの観点にしたがって、公共安全アクセスポイント（ＰＳＡＰ）から発信した通話の識別を容易にする動作の方法またはシーケンスのフロー図を説明する。
【図６】図６は、本発明の１つの観点にしたがって、検出されない緊急通話の識別を容易にする動作の方法またはシーケンスのフロー図を説明する。
【図７】図７は、受信した緊急通話の優先取り扱いのための、ユーザ機器の計算プラットフォームおよび送受信コンポーネントのブロック図を図示する。
【図８】図８は、ＵＥによる緊急通話の優先取り扱いを容易にするための、ネットワークシステムの計算プラットフォームおよび送受信コンポーネントのブロック図を図示する。
【図９】図９は、緊急通話の優先取り扱いのための、電気コンポーネントの論理グループを含むシステムのブロック図を図示する。
【図１０】図１０は、ユーザ機器による緊急通話の優先取り扱いを容易にするネットワークのための、電気コンポーネントの論理グループを含むシステムのブロックを図示する。
【図１１】図１１は、緊急通話の優先取り扱い手段を有する装置のブロック図を図示する。
【図１２】図１２は、ユーザ機器による緊急通話の優先取り扱いを容易にする手段を有する装置のブロック図を図示する。
【詳細な説明】
【００２３】
図面を参照して、さまざまな観点をこれから記述する。以下の記述において、説明の目的のために、１つ以上の観点の完全な理解を提供するために、多数の特定の詳細な説明を示す。しかしながら、これらの特定の詳細な説明なしで、さまざまな観点を実施し得ることが明白であるかもしれない。他の例において、これらの観点の記述を容易にするために、よく知られている構造およびデバイスをブロック図で示す。
【００２４】
最初に図１を参照すると、通信システム１００は、移動デバイスまたはユーザ機器（ＵＥ）１０２が、担当進化型ベースノード（ｅＮＢ）１０４として描写されている無線アクセスネットワーク（ＲＡＮ）により、インターネットプロトコルマルチメディアサブシステム（ＩＭＳ）１０６ないし公共安全アクセスポイント（ＰＳＡＰ）１０８に対してワイヤレスに通信することを可能にする。移動／ＵＥ１０２は、例えば、メディアゲートウェイ制御機能（ＭＧＣＦ）１１４により、ネットワークに割り当てることができる、起源の十分な識別１１２を有する緊急通話１１０を開始できる。１つの観点において、ＭＧＣＦは、Ｐ−Ａｓｓｅｒｔｅｄ−Ｉｄｅｎｔｉｔｙヘッダおよび／またはＰｒｉｏｒｉｔｙヘッダを、ＰＳＡＰからの緊急通話を示す値に設定できる。緊急通話が遮断されるか、または、さもなければ、解放される場合、ＰＳＡＰ１０８は、緊急識別１２０を搬送する緊急コールバック１１８を開始でき、緊急識別１２０は、優先取り扱いを実行し（ブロック１２２）、ユーザに警告する（ブロック１２４）、移動／ＵＥ１０２により認識され得る。優先取り扱いは、進行中の通信セッションを中断すること、または、保留にすることを伴うことができる。それは、三者間通話や、コールウェイティングや、ショートメッセージサービス（ＳＭＳ）や、マルチメディアストリーミングなどのような、気を散らす機能をディセーブルすることを伴うことができる。
【００２５】
ＲＡＮ１０４は、緊急サービスをサポートするインターネットプロトコル接続アクセスネットワーク（ＩＰ−ＣＡＮ）を備えることができる。特に、移動／ＵＥ１０２は、十分なセキュリティ証明書を有さずにＩＰ−ＣＡＮ１０４にアクセスできるが、ＩＰ−ＣＡＮ１０４は、十分なセキュリティ証明書を有さないＵＥ１０２からの、ベアラリソースを確立する要求を拒絶できる。ＩＰ−ＣＡＮ１０４が、緊急サービスに対してベアラリソースを確立する要求を受信するケースにおいて、ＩＰ−ＣＡＮが緊急サービストラフィックを優先させることが可能であろう。ＰＣＣ（ポリシーおよび課金制御）方法を使用して、ＩＰ−ＣＡＮ１０４に知らせて、緊急サービス１０４適切な取り扱いを要求してもよい。ＩＰ−ＣＡＮ１０４が、緊急サービスに対してベアラリソースを確立する要求を受信するケースにおいて、ＩＰ−ＣＡＮ１０４は、要求されたリソースを使用するＩＰフローが、緊急サービスのサポートに関わるネットワークエンティティとの通信のためだけであることを保証する。ローカル緊急番号がＵＥに確実に知られるようにするために、ＩＰ−ＣＡＮ１０４は、緊急番号をＵＥ１０２に提供してもよい。
【００２６】
ＵＥ１０２の、検出される緊急通話コンポーネント１２６は、開始された通話がＰＳＡＰに対するものであり、したがって、緊急通話であることを有利にも認識できる。代わりに、または、さらに、ＵＥ１０２の、検出されない緊急通話コンポーネント１２８は、ＵＥにより開始された通話、または、ＰＳＡＰにより開始された通話、または、コールバックを緊急通話として識別するネットワーク情報に応答するものとすることができる。
【００２７】
ここで記述する、実例となる構成は、有利にも、ワイヤレス通信に対処するが、他の方法でＩＭＳ１０６に結合できる（例えば、ワイヤードネットワーク接続によるボイスオーバーＩＰ（ＶｏＩＰ））ユーザ機器（ＵＥ）１３０に観点を適用できることを理解すべきである。
【００２８】
図２において、緊急通話と、コールバックと、移動／ＵＥ２０２による、優先される応答とを容易にする通信ネットワーク２００は、有利にも、追加の通話セッション制御機能（ＣＳＣＦ）の役割、特に、緊急ＣＳＣＦ（“Ｅ−ＣＳＣＦ”）２０４を含む。Ｅ−ＣＳＣＦ２０４は、Ｍｗ基準点を使用して、サービングＣＳＣＦ２０６に接続する。Ｅ−ＣＳＣＦ２０４は、Ｍｗ基準点を使用して、ＩＭＳ２０８に接続し、ＩＭＳ２０８は次に、ＰＳＡＰ２１０に接続する。Ｅ−ＣＳＣＦ２０４は、Ｍｉ／Ｍｇ基準点を使用して、公衆電話交換ネットワーク（ＰＳＴＮ）２１２、ブレークアウトゲートウェイ制御機能（ＢＧＣＦ）およびＭＧＣＦ２１２に接続する。Ｅ−ＣＳＣＦ２０４は、ＭＩ基準点を使用して、位置検索機能（ＬＲＦ）２１４に接続する。ＰＳＡＰ２１０は、基準点であるＬｅ基準点（例えば、Ｅ２）により、ＬＲＦ２１４に接続し、基準点Ｍｍ／Ｍｗにより、Ｓ−ＣＳＣＦ２０６に接続する。Ｅ−ＣＳＣＦ２０４は、基準点Ｍｗにより、プロキシＣＳＣＦ２１６に接続し、プロキシＣＳＣＦ２１６は次に、Ｇｍ基準点により、移動／ＵＥ２０２に接続する。
【００２９】
ＵＥ２０２は、多くの例において、緊急セッション確立要求を検出できるはずである。例えば、ＩＭＳ緊急登録要求における特別の緊急パブリックユーザ識別子を使用できる。すでにＩＭＳが登録しており、（例えば、ホームネットワーク外のローミングがサポートされていないＩＰ−ＣＡＮを含む）そのホームネットワーク中にあるとき、ＵＥ２０２は、事前の緊急登録をせずに、ＩＭＳ緊急セッション確立を実行してもよい。さもなければ、ＵＥ２０２は、ＩＭＳ緊急登録を実行でき、ＩＭＳ緊急登録は、緊急セッション要求中に緊急サービス表示を含めることができる。さらに、ＩＭＳ登録に対する十分な証明書を持たない人といった状況であるとき、ＵＥ２０２は、“匿名のユーザ”に対する緊急セッションを確立するために、要求中に機器の識別子を含めることができる。ＵＥ２０２は、利用可能である場合、ＩＰ−ＣＡＮに対する識別情報（例えば、ＭＣＣ−ＭＮＣまたは等価物）を含めることができる。ＵＥ２０２は、回線交換（ＣＳ）領域中で緊急通話を試みることができるデュアルモードであってもよい。したがって、優先取り扱いは、ＩＭＳにより受信した緊急通話を優先して、ＣＳセッションを切換えるか、または、ＣＳセッションを保留にすることを伴うことができる。ＵＥ２０２は、ＵＥにより検出可能な緊急の試行がない結果として、“緊急”に設定されたタイプを有する３８０の（代替サービス）応答を取り扱うことができる。ＵＥ２０２は、緊急セッション確立の試行の結果として必要とされるＩＭＳ緊急登録の表示を有する応答を取り扱うことができる。
【００３０】
実例となるケースにおいて、ＵＥ２０２は、緊急セッション確立要求を開始し、ネットワーク中で正しく要求を処理する目的のために、以下の特定の情報が、要求メッセージ中で与えられる。ＵＥ２０２は、緊急セッション表示を提供し、ＩＭＳ緊急登録が実行される場合、緊急パブリックユーザ識別子を提供する。そうでない場合、何らかの登録されているパブリックユーザ識別子が使用される。利用可能である場合、ＵＥ２０２は、緊急パブリックユーザ識別子に関係付けられている電話機ユニフォームリソースインジケータ（ＵＲＩ）を提供することができてもよい。ＵＥ２０２はまた、いくつかの例において、位置を提供することができてもよい。
【００３１】
緊急サービスにおいて、位置情報が、２つの主な理由のために必要とされる。位置情報の第１の目的は、ＵＥ２０２が現在位置しているエリアをどのＰＳＡＰ２１０が担当しているかをＩＭＳネットワーク２０８が決定するのを可能にすることであり、それにより、ＩＭＳネットワーク２０８は、緊急セッションを正しいＰＳＡＰ２１０にルーティングできる。第２の目的は、緊急セッションの間に、または、その後に、ＰＳＡＰ２１０が、端末に対する、より正確な、または更新された位置情報を得ることである。ＵＥ２０２が、利用可能な位置情報を有する場合、ＵＥ２０２は、緊急セッションを確立するための要求中に位置情報を含める。位置情報は、位置識別子であるネットワーク位置情報、および／または、地理的な位置情報から構成されていてもよい。Ｐ−ＣＳＣＦ２１６が、ＩＰ−ＣＡＮ（図１）に問い合わせて、位置識別子を取得してもよい。必要な場合、Ｅ−ＣＳＣＦ２０４が、追加の位置情報をＬＲＦ２１４に問い合わせてもよい。Ｅ−ＣＳＣＦ２０４が、緊急サービス要求において位置情報を受信しない場合、Ｅ−ＣＳＣＦ２０４は、位置情報をＬＲＦ２１４に問い合わせてもよい。ＵＥ２０２により最初に提供される場合、Ｅ−ＣＳＣＦ２０４は、ＬＲＦ２１４に問い合わせて、位置情報を確認できる。
【００３２】
したがって、位置検索機能（ＬＲＦ）２１４は、ＩＭＳ緊急セッションを開始しているＵＥの位置情報の検索を担当する。位置検索機能（ＬＲＦ）が、ルーティング決定機能（ＲＤＦ）と、位置サーバ（例えば、ゲートウェイ移動位置センター（ＧＭＬＣ））とから成る構成をサポートすることが可能であるだろう。ＬＲＦは、緊急要求をルーティングするために、ＲＤＦを利用して、ルーティング情報をＥ−ＣＳＣＦに提供する。ＲＤＦは、位置機能エンティティ（例えば、ＧＭＬＣ）と対話して、ＥＳＱＫの割振りおよび管理を管理できる。ＥＳＱＫは、位置情報と、オプションとしてコールバック番号とをＬＲＦに問い合わせるために、ＰＳＡＰにより使用される。ＬＲＦ−ＰＳＡＰの対話は、この明細書の範囲外である。
【００３３】
ＬＲＦ２１４によりＥ−ＣＳＣＦ２０４に提供される情報は、ルーティング情報と、ローカルのレギュレーションを受ける、緊急サービスに必要な他のパラメータとを含む。例えば、この情報は、ＥＳＱＫ、ＥＳＲＮ、北米におけるＬＲＯ、ＥＵにおける位置番号、ＰＳＡＰ ＳＩＰ ＵＲＩまたはＴｅｌ ＵＲＩを含んでいてもよい。正しいＰＳＡＰ宛先アドレスをＥ−ＣＳＣＦ２０４に提供するために、ＬＲＦ２１４は、ＵＥ２０２に対して、中間位置情報を要求してもよい。
【００３４】
いくつかの地域において、例えば、北米地域において、ＰＳＡＰ２１０により要求される場合、ＵＥに対する正確な最初の位置推定をＰＳＡＰ２１０に提供し、ことによると、ＵＥ２０２に対する正確な更新された位置推定を提供することが必要であるかもしれない。この要求が存在するとき、ＬＲＦ２１４は、Ｅ−ＣＳＣＦ２０４により提供されるすべての情報を含む緊急セッションの記録を記憶してもよく、緊急セッションが終了していることをＥ−ＣＳＣＦ２０４により知らされたときに、この記録だけを解放するであろう。ＬＲＦ２１４によりＥ−ＣＳＣＦ２０４に提供される情報（例えば、ＥＳＱＫ）は、ＬＲＦ２１４と、ＬＲＦ２１４中の緊急セッション記録との両方を識別する相関情報を含むであろう。この相関情報は、（例えば、ＳＩＰ ＩＮＶＩＴＥにおいて、または、ＭＧＣＦからのＳＳ７ ＩＳＵＰシグナリングにより）セッション確立の間にＰＳＡＰ２１０に転送されるであろう。ＰＳＡＰ２１０は、この情報を使用して、ＬＲＦ２１４から最初の位置推定を要求し、および／または、更新された位置推定を要求してもよい。
【００３５】
Ｅ−ＣＳＣＦ２０４は、緊急要求をＰＳＡＰ／緊急センター２１０にルーティングし、ＰＳＡＰ／緊急センター２１０は、ＵＥ２０２の現在の位置に、または、デフォルトのＰＳＡＰ／緊急センター２１０に対応する。ルーティングの方法は、ＩＷＬＡＮまたは固定のブロードバンドのアクセスが、緊急サービスに対して、ＵＥ２０２により使用されているかに基づいて、変更できる。Ｅ−ＣＳＣＦ２０４は、ＵＥの位置情報を含むＳＩＰ要求をＰＳＡＰ／緊急センター２１０またはＢＧＣＦ／ＭＧＣＦ２１２に転送する。位置情報は、明示の位置情報、および／または、ＰＳＡＰ２１０が後の段階において位置を検索することを可能にする参照キーを含むことができる。
【００３６】
さらに、緊急ＣＳＣＦ２０４は、Ｐ−ＣＳＣＦ２１６から緊急セッション確立要求を受信する。位置情報が緊急要求に含まれていない場合、または、追加の位置情報が要求される場合、Ｅ−ＣＳＣＦ２０４は、位置情報を検索することをＬＲＦ２１４に要求してもよい。必要な場合、Ｅ−ＣＳＣＦ２０４は、ＵＥにより含められている場合、位置情報を確認することをＬＲＦ２１４に要求する。Ｅ−ＣＳＣＦ２０４は、適切なルーティング情報／ＰＳＡＰの宛先を決定するか、または、それらをＬＲＦ２１４に問い合わせ、匿名のセッション確立要求を含む緊急セッション確立要求を、適切な宛先にルーティングし、Ｐ−ａｓｓｅｒｔｅｄ ＩＤまたはＵＥ識別のコンテンツをＬＲＦ２１４に送ることができ、さらなる通話プロセスのために、緊急ＩＭＳ通話を緊急通話サービス（ＥＣＳ）にルーティングできる。
【００３７】
さらに、他のＩＭＳ機能エンティティに関して、プロキシＣＳＣＦ２１６が属するＩＰマルチメディアコアネットワーク（ＩＭ ＣＮ）サブシステムが、（例えば、ローカルポリシーまたはＵＥ２０２が、ＩＭ ＣＮサブシステムの地理的エリア内にないか、または、ＩＰ−ＣＡＮがサポートされていないことに起因して）ＵＥ２０２に対して緊急セッションをサポートできない場合に、Ｐ−ＣＳＣＦ２１６が緊急登録要求を拒絶する場合を除いて、Ｐ−ＣＳＣＦ２１６は、他の任意の登録要求のように、緊急パブリックユーザ識別子を有する登録要求を取り扱う。Ｐ−ＣＳＣＦ２１６は、緊急セッション確立要求を検出し、マークのつけられていない緊急要求を拒絶／許可し、匿名の緊急要求を拒絶／許可し、緊急でない要求における緊急パブリックユーザ識別子の表明を防ぎ、緊急登録と関連する、緊急でない要求を防ぎ、位置識別子をＩＰ−ＣＡＮに問い合わせてもよく、同じネットワーク中の緊急ＣＳＣＦを選択して、緊急セッション要求を取り扱う。選択方法は、本文書において標準化されておらず、緊急セッションを優先させ、ＵＥにより提供される場合、通話者のＴｅｌ ＵＲＩの有効性をチェックし、緊急パブリックユーザ識別子に関係付けられているＴｅｌ ＵＲＩに関してＵＥが知っている場合、セッション確立要求においてＴｅｌ ＵＲＩを提供し、ＵＥにより検出可能でない緊急セッション確立要求の検出の結果として、緊急セッション表示によりＵＥ２０２に応答してもよく、緊急セッション確立試行の処理の結果として必要とされるＩＭＳ緊急登録の表示により、ＵＥ２０２に応答してもよく、緊急サービスに関係付けられているサービスデータフローを識別し、それに応じて（示していない）ポリシーおよび課金ルール機能（ＰＣＲＦ）を知らせることができるはずである。
【００３８】
Ｓ−ＣＳＣＦ２０６が緊急登録を受信するとき、Ｓ−ＣＳＣＦ２０６は、受信したＲＥＧＩＳＴＥＲ要求中のＥｘｐｉｒｅｓヘッダの値をチェックすることにより、および、サービングシステムのローカルポリシーに基づいて、登録の継続時間を決定する。
【００３９】
図３Ａにおいて、ＵＥ３０２における緊急通話の優先取り扱いに対して、方法または動作のシーケンス３００が、ＵＥ３０２、ＩＰ−ＣＡＮ３０４、ＩＭＳネットワーク３０６および緊急センター／ＰＳＡＰ３０８により実行される。ブロック３１０において、ＵＥが、緊急セッションの確立として要求を検出する。例えば、ＰＳＡＰが、新しい通話をＵＥに対して開始し（すなわち、ＰＳＡＰコールバックのケース）、ＵＥ３０２は、ＳＩＰヘッダ値（例えば、Ｐ−Ａｓｓｅｒｔｅｄ−ＩｄｅｎｔｉｔｙまたはＰｒｉｏｒｉｔｙ）に基づいて、ｅ−通話として、この通話を識別できる。ヘッダ値は、ＭＧＣＦにより、または、ＰＳＡＰ自身（または、ＰＳＡＰに代わって、他の何らかのネットワークエンティティ）により、挿入できる。
【００４０】
ＵＥ３０２が、他の進行中のセッションに起因して、緊急通話を確立するのに十分なリソースまたは能力を有さないケースにおいて、ＵＥは、進行中の通信を終了させて、確保されるベアラリソースを解放すべきである（ブロック３１２）。いくつかの例において、ＵＥ３０２は、位置の支援または確認を必要とする。その目的のために、ＩＭＳネットワーク３０６は、緊急ＵＲＩを含むＳＩＰ ＩＮＶＩＴＥメッセージを送ることにより緊急セッション要求を開始するＵＥ３０２に応答して、位置およびルーティング情報を検索するＬＲＦ／ＲＤＦを使用して緊急セッションの確立を支援できる（ブロック３１４）。必要な場合、ＩＭＳネットワーク３０６は、ＬＲＦにアクセスして、ＵＥの位置を検索してもよい（ブロック３１６）。必要な場合、ＬＲＦはＲＤＦを呼び出して、適切なＰＳＡＰの宛先を決定する（ブロック３１８）。ＬＲＦは、必要な位置／ルーティング情報（例えば、北米に対して、ＥＳＱＫ、または、ＥＵに対して、位置番号）をＩＭＳネットワークに返す。ＩＭＳネットワーク３０６は、ＬＲＦにより返されたルーティング情報を使用して、適切なＰＳＡＰ３０８に向けて緊急セッション要求をルーティングする（ブロック３２０）。（ＬＲＦが、ＥＳＱＫをＩＭＳネットワーク３０６に提供するか、または、他の任意の専用リソースを緊急セッションに割り当てる場合、ＩＭＳネットワーク３０６は、ＬＲＦが、このリソースを解放することを可能にするために、セッションが解放されるときをＬＲＦに知らせる）。
【００４１】
次に、緊急セッションおよびベアラリソースの確立が、ＰＳＡＰ３０８により完了される（ブロック３２２）。したがって、ＩＭＳ緊急登録が実行される場合、ＵＥ３０２は、緊急セッション表示および緊急パブリックユーザ識別子を含むＩＭＳセッション確立手続きを使用して、ＩＭＳ緊急セッション確立を開始する。さもなければ、ＵＥ３０２は、緊急セッション表示および登録された何らかのパブリックユーザ識別子を含むＩＭＳセッション確立手続きを使用して、ＩＭＳ緊急セッション確立を開始する。手続きがＵＥ３０２により個々に活動化されるか、または、それらのうちのいくつかが、自動的に実行されるかは、端末の構成と、ＵＥの設定とに依存する。例えば、ＵＥ３０２中のマルチメディアアプリケーションは、アプリケーションレベル登録を開始でき、アプリケーションにより開始される動作をサポートすることに応答して、ルーティングを実行しなければならないだろう。ＵＥ３０２との対話は、これらのステップの間に発生してもよい。
【００４２】
緊急通話セッションが確立されると、ＰＳＡＰ３０８は、コールバックを可能にするような目的のために、緊急通話者（ＵＥ３０２）に関する十分な情報を捕捉する。したがって、緊急セッションが遮断されるか、または解放される場合、ＰＳＡＰ３０８が準備される（ブロック３２６）。ＰＳＡＰ３０８は、緊急コールバックを開始できる（ブロック３３０）。有利なことに、緊急または緊急コールバックとして通話にラベルをつけるＭＧＷとして描写するように（ブロック３３４）、または、通話が、緊急センター／ＰＳＡＰから発信しているものとして自己識別されることにより（ブロック３３６）、緊急コールバックは、その確立している通信中の緊急通話として識別を有する（ブロック３３２）。
【００４３】
緊急コールバックセッションがＵＥ３０２により確立された後に、または、確立されている間に、ＵＥ３０２は、通話の緊急ステータスを検出する（ブロック３３８）。ＵＥ３０２は、容量を解放し、ユーザの気を散らすものを取り除くために、何らかの第２のセッションを保留にするか、または中断するような、優先取り扱いを実行する（ブロック３４０）。さらに、ＵＥ３０２は、コールウェイティングや、三者間通話や、マルチメディアストリーミング／再生セッションや、デバイスサイレンス／スリープモードなどのような、緊急通話を曖昧にするか、または緊急通話から気を散らす機能をディセーブルすることにより、さらなる支障を防ぐことができる（ブロック３４２）。ＵＥ３０２は、可視の、可聴の、および触覚のアラートのようなユーザアラートを実行する（ブロック３４４）。
【００４４】
図３Ｂ中の方法３００に続くと、ＵＥ３０２は、図３Ａ中で上述したのと同様に通話をかけるが、緊急セッションの確立として要求を検出しない（ブロック３６０）。例えば、ＵＥは、“ＵＥにより検出されない緊急通話”をかける。例えば、ＵＥが異なる国においてローミングしており、ローカルの緊急番号をダイヤルするときに、このことが起こる。ここで、緊急番号は、ローカルネットワークにより認識され、通話は、ＰＳＡＰに送り出される。ＵＥはまた、ＵＥがかけた通話が緊急通話であることをネットワーク（Ｅ−ＣＳＣＦ、Ｐ−ＣＳＣＦなど）により伝えられる（ブロック３６１）。前の使用のケースと同様に、ネットワークは、Ｐ−Ａｓｓｅｒｔｅｄ−ＩｄｅｎｔｉｔｙヘッダまたはＰｒｉｏｒｉｔｙヘッダを使用して、ｅ通話に関してＵＥに伝えることができる。
【００４５】
ＵＥ３０２が、ブロック３６０において緊急セッションを検出できなかった場合、通常のセッション確立手続きに従って、訪問した公衆地上移動ネットワーク（ＰＬＭＮ）中のＰ ＣＳＣＦに対して、または、ホームＰＬＭＮ中のＰ ＣＳＣＦに対して、セッション確立要求を送ることができる。前者は、ローミングの状況に対して適用可能であるのに対して、後者は、ローミングおよびローミングでない状況の両方に対して適用できる。セッション確立要求を送るのに先立って、ＵＥ３０２は、通常の登録手続きに従ってＩＭＳネットワーク３０６中に登録される。ローカルポリシー（例えば、アクセスタイプをチェックすること）に基づいて、これが緊急セッションを確立する要求であることをＰ−ＣＳＣＦが検出するケースにおいて、Ｐ−ＣＳＣＦは、これが、緊急セッションに対するものである表示を有するセッション開始要求を拒絶するかもしれない。ＵＥ３０２が、セッションの拒絶を受信するとき、上述したように、ＵＥ３０２は、ＣＳ領域において、または、ＩＭＳ領域において、緊急通話を開始することを試みる。代わりに、訪問したＰＬＭＮ中のＰ−ＣＳＣＦまたはローミングでないＵＥ３０２に対するホームＰＬＭＮ中のＰ−ＣＳＣＦは、明示的な緊急表示をセッション要求中に挿入することによりセッション開始要求が継続し、同じネットワーク中の緊急ＣＳＣＦに対してその要求を転送することを可能にする。セッションが緊急セッションとしてマークされていることをＵＥ３０２に知らせる必要はなく、すなわち、ＵＥは、通常のセッション確立としてセッションを扱うことができる。
【００４６】
他の進行中のセッションに起因して、ＵＥ３０２が、緊急通話を確立するのに十分なリソースまたは容量を有さないケースにおいて、ＵＥは進行中の通信を終了させて、確保されたベアラリソースを解放すべきである（ブロック３６２）。いくつかの例において、ＵＥ３０２は、位置の支援または確認を必要とする。その目的のために、ＩＭＳネットワーク３０６は、緊急ＵＲＩを含まないＳＩＰ ＩＮＶＩＴＥメッセージを送ることにより、緊急セッション要求を開始するＵＥ３０２に応答して、位置およびルーティング情報を検索するＬＲＦ／ＲＤＦを使用して緊急セッションの確立を支援できる（ブロック３６４）。ＩＭＳネットワーク３０６は、ＬＲＦにアクセスして、ＵＥの位置を検索してもよい（ブロック３６６）。通話が緊急通話であることをネットワークが決定することにより（ブロック３６６）、例えば、ＰＳＡＰ３０８への通話またはＰＳＡＰ３０８からの通話が緊急通話であることを認識することにより、そのような動作を促すことができる。
【００４７】
必要な場合、ＬＲＦはＲＤＦを呼び出して、適切なＰＳＡＰの宛先を決定する（ブロック３７０）。ＬＲＦは、必要な位置／ルーティング情報（例えば、北米に対して、ＥＳＱＫ、または、ＥＵに対して、位置番号）をＩＭＳネットワークに返す。ＩＭＳネットワーク３０６の（Ｅ−ＣＳＣＦ）は、ＬＲＦにより返されたルーティング情報を使用して、適切なＰＳＡＰ３０８に向けて緊急セッション要求をルーティングする（ブロック３７２）。
【００４８】
有利なことに、緊急または緊急コールバックとして通話にラベルをつけるＭＧＷとして描写するように（ブロック３７６）、または、通話が、緊急センター／ＰＳＡＰから発信しているものとして自己識別されることにより（ブロック３７８）、緊急通話は、その確立している通信中の緊急通話として識別を有する（ブロック３７４）。緊急通話セッションがＵＥ３０２により確立された後に、または、確立されている間に、ＵＥ３０２は、通話の緊急ステータスを検出する（ブロック３８０）。ＵＥ３０２は、容量を解放し、ユーザの気を散らすものを取り除くために、何らかの第２のセッションを保留にするか、または中断するような、優先取り扱いを実行する（ブロック３８２）。さらに、ＵＥ３０２は、コールウェイティングや、三者間通話や、マルチメディアストリーミング／再生セッションや、デバイスサイレンス／スリープモードなどをディセーブルするように、緊急通話を曖昧にするか、または緊急通話から気を散らす機能をディセーブルすることにより、さらなる支障を防ぐことができる（ブロック３８４）。ＵＥ３０２は、可視の、可聴の、および触覚のアラートのようなユーザアラートを実行する（ブロック３８６）。
【００４９】
図４は、多数のユーザをサポートするように構成されている例示的な通信システム４００を図示し、通信システム４００において、さまざまな開示した実施形態および観点を実現してもよい。図４中で示すように、一例として、システム４００は、例えば、マクロセル４０２ａないし４０２ｇのような複数のセル４０２に対して通信を提供し、各セルは、（アクセスポイント（ＡＰ）４０４ａないし４０４ｇのような）対応するＡＰ４０４により担当されている。各セルは、１つ以上のセクタにさらに分割されていてもよい。ユーザ機器（ＵＥ）としても区別なく知られている、アクセス端末（ＡＴ）４０６ａないし４０６ｋを含む、さまざまなＡＴ４０６が、システム全体にわたって分散されている。例えば、ＡＴがアクティブであるかどうか、および、それがソフトハンドオフ中であるかどうか次第で、各ＡＴ４０６は、定められた時に、フォワードリンク（ＦＬ）および／またはリバースリンク（ＲＬ）上で、１つ以上のＡＰ４０４と通信してもよい。ワイヤレス通信システム４００は、大きな地理的領域にわたってサービスを提供してもよく、例えば、マクロセル４０２ａないし４０２ｇは、近隣において数ブロックをカバーしてもよい。１つの観点において、システム４００は、公共安全アクセスポイント（ＰＳＡＰ）４０８をさらに含み、公共安全アクセスポイント（ＰＳＡＰ）４０８は、緊急通話が受信され、適切な緊急サービスにルーティングされる、公衆電話交換ネットワーク（ＰＳＴＮ）終端ポイントである。
【００５０】
図５は、本発明の１つの観点にしたがった、公共安全アクセスポイント（ＰＳＡＰ）から発信された通話の識別を容易にする方法を説明する。移動局またはＵＥが、緊急通話をかけて、通話が切断されるか、または、終了されるとき、ＰＳＡＰは、ＵＥにコールバックすることを選んでもよい。そのようなコールバックが生じるとき、ＵＥは、コールバックがＰＳＡＰから発信していることを知る必要があり、そのため、ＵＥは、何らかの進行中の通話を終了させて、ＰＳＡＰからの、この着信通話を受け入れることができる。さらに、ＵＥが、ＰＳＡＰからのコールバックとして、着信通話を識別する場合、ＵＥは、着信通話の間、例えば、コールウェイティングや、三者間通話などのような、いくつかの補足の機能をディセーブルすることができる。
【００５１】
１つの観点において、処理ブロック５１０において、予め定められた値に設定されたヘッダを有する、着信通話が、ＵＥにおいて受信される。１つの観点において、ヘッダは、Ｐ−Ａｓｓｅｒｔｅｄ−Ｉｄｅｎｔｉｔｙヘッダであり、Ｐ−Ａｓｓｅｒｔｅｄ−Ｉｄｅｎｔｉｔｙヘッダは、例えば、予め定められているストリング“ｕｒｎ：ｓｅｒｖｉｃｅｓ：ｓｏｓ”のような、予め定められている値か、または、ＰＳＡＰから発信しているものとして通話を識別する、他の何らかの指定された値に設定されていてもよい。代替の観点において、Ｐ−Ａｓｓｅｒｔｅｄ−Ｉｄｅｎｔｉｔｙヘッダは、コールバック（または通話）がＰＳＡＰにおいて発信したことを示す追加の情報を含んでいてもよい。追加の情報は、例えば、通話がＰＳＡＰからのものであることを示すユニフォームリソース識別子（ＵＲＩ）パラメータを含んでいてもよい。ＵＲＩパラメータは、値“ｕｒｎ：ｓｅｒｖｉｃｅｓ：ｓｏｓを、または、代替として、通話がコールバックであることを示す、他の何らかの予め定められている値をさらに含んでいてもよい。
【００５２】
別の代替の観点において、ヘッダは、Ｐｒｉｏｒｉｔｙヘッダであり、Ｐｒｉｏｒｉｔｙヘッダは、例えば、緊急値、または、予め定められている“緊急−コールバック”値、または、ＰＳＡＰから発信しているものとして通話を識別する、他の任意の指定された値、のような予め定められている値に設定されてもよい。１つの観点において、着信通話がＰＳＴＮから生じる場合、ＰＳＴＮとＩＭＳエンティティとの間のインターフェースとして提供されるメディアゲートウェイ制御機能（ＭＧＣＦ）が、Ｐ−Ａｓｓｅｒｔｅｄ−Ｉｄｅｎｔｉｔｙヘッダおよび／またはＰｒｉｏｒｉｔｙヘッダを、特定の値に設定する。代わりに、何らかのネットワークエンティティが、対応するヘッダを予め定められている値に設定してもよい。
【００５３】
１つの観点において、処理ブロック５２０において、着信通話は、予め定められている値に基づいて、ＰＳＡＰから発信しているものとして識別される。ＵＥは、着信ヘッダを処理し、予め定められている値に基づいて、ＰＳＡＰから発信しているものとして通話を識別し、したがって、何らかの進行中の通話を終了させて、この着信通話を受け入れてもよく、通話と干渉するかもしれない何らかの機能をディセーブルしてもよい。
【００５４】
図６は、本発明の１つの観点にしたがった、検出されない緊急通話の識別を容易にする方法を説明する。移動局またはＵＥが、緊急通話をかけるとき、移動局またはＵＥは、番号シーケンスがＵＥに知られている場合にのみ、番号シーケンスに基づいて、通話を識別してもよい。番号シーケンスにより識別されないかもしれない緊急通話に対して、ＵＥは、それが緊急通話にダイヤルしていることに気付く必要があり、そのためＵＥは、通話中に、例えば、コールウェイティングや、三者間通話などのような、いくつかの補足の機能をディセーブルしてもよい。
【００５５】
１つの観点において、処理ブロック５５０において、ＵＥは、要求メッセージを送信して、ネットワーク内で通話を開始する。処理ブロック５６０において、予め定められている値に設定されたヘッダを有する、着信応答メッセージが、ＵＥにおいて受信される。１つの観点において、ヘッダは、Ｐ−Ａｓｓｅｒｔｅｄ−Ｉｄｅｎｔｉｔｙヘッダであり、上述したように、Ｐ−Ａｓｓｅｒｔｅｄ−Ｉｄｅｎｔｉｔｙヘッダは、例えば、予め定められている緊急ストリング値、または、開始された通話を緊急通話として識別する他の何らかの指定された値のような、予め定められている値に設定されてもよく、あるいは、例えば、ＵＲＩパラメータのような追加の情報を含んでいてもよい。代替の観点において、ヘッダは、Ｐｒｉｏｒｉｔｙヘッダであり、Ｐｒｉｏｒｉｔｙヘッダは、例えば、緊急値、または、予め定められている“緊急コールバック”値、または、開始された通話を緊急通話として識別する、他の任意の指定された値、のような予め定められている値に設定されてもよい。１つの観点において、メディアゲートウェイ制御機能（ＭＧＣＦ）または、他の任意のネットワークが、Ｐ−Ａｓｓｅｒｔｅｄ−Ｉｄｅｎｔｉｔｙヘッダおよび／またはＰｒｉｏｒｉｔｙヘッダを、特定の値に設定してもよい。
【００５６】
最後に、処理ブロック５７０において、開始された通話が、予め定められている値に基づいて、緊急通話として識別される。ＵＥは、着信ヘッダを処理して、予め定められている値に基づいて、緊急通話として通話を識別する。
【００５７】
図７に関して、ユーザ機器（ＵＥ）として描写されている移動局６００は、計算プラットフォーム６０２を有し、計算プラットフォーム６０２は、公共安全アクセスポイント（ＰＳＡＰ）と通信するユーザ機器を使用して、コンピュータに緊急通話を実行させるためのコードのセットのような手段を提供する。実例となる観点において、これらの通話は、ＩＭＳにより実施される。特に、計算プラットフォーム６０２は、プロセッサ６２０により実行される複数のモジュールを６０６ないし６１０を記憶するコンピュータ読み取り可能記憶媒体（例えば、メモリ）６０４を含む。プロセッサ６２０により制御される変調器６２２は、６２７において描写されるようにアンテナ６２６によりｅＮＢに対して放射される、送信機６２４による変調のためのアップリンク信号を準備する。受信機６２６は、アンテナ６２６から、ｅＮＢ６００からのダウンリンク信号を受信し、ダウンリンク信号は、復調器６２８により復調されて、デコーディングのためにプロセッサ６２０に提供される。特に、手段（例えば、モジュール、コードのセット）６０６が、ユーザ機器において、ＰＳＡＰとのデータパケット通信を確立するために提供される。手段（例えば、モジュール、コードのセット）６０８が、データパケット通信を緊急通話として識別するために提供される。手段（例えば、モジュール、コードのセット）６１０が、緊急通話の優先取り扱いを実行するために提供される。
【００５８】
図８において、ネットワークシステム６５０は、計算プラットフォーム６５２を有し、計算プラットフォーム６５２は、公共安全アクセスポイント（ＰＳＡＰ）との通信を確立しているユーザ機器による緊急通話の優先取り扱いをコンピュータに容易にさせるためのコードのセットのような手段を提供する。実例となる観点において、これらの通話は、ＩＭＳにより実施される。特に、計算プラットフォーム６５２は、プロセッサ６７０により実行される複数のモジュールを６５６ないし６６０を記憶するコンピュータ読み取り可能記憶媒体（例えば、メモリ）６５４を含む。特に、手段（例えば、モジュール、コードのセット）６０６が、ユーザ機器において、ＰＳＡＰとのデータパケット通信を確立するために提供される。手段（例えば、モジュール、コードのセット）６０８が、データパケット通信を緊急通話として識別するために提供される。手段（例えば、モジュール、コードのセット）６１０が、緊急通話の優先取り扱いを実行するために提供される。これらの手段５５６ないし６６０は、ＵＥ６８０と、ＰＳＡＰ６８４をつなぐネットワーク６８２との間のネットワーク通信モジュール６７８により、ダウンリンクチャネル６７４およびアップリンクチャネル６７６上で、この双方向通信を行う。
【００５９】
図９を参照して、公共安全アクセスポイント（ＰＳＡＰ）と通信しているユーザ機器を使用して、緊急通話の優先取り扱いを実行するシステム７００を説明する。例えば、システム７００は、ユーザ機器（ＵＥ）内に少なくとも部分的に存在することができる。システム７００は機能ブロックを含むように表されており、機能ブロックは、プロセッサ、ソフトウェア、または、これらの組合せ（例えば、ファームウェア）により実現される機能を表す機能ブロックとすることができることを理解すべきである。システム７００は、共に動作できる電気コンポーネントの論理グループ７０２を含む。例えば、論理グループ７０２は、ユーザ機器において、ＰＳＡＰとのデータパケット通信を確立する電気コンポーネント７０４を含むことができる。さらに、論理グループ７０２は、データパケット通信を緊急通話として識別する電気コンポーネント７０６を含むことができる。さらに、論理グループ７０２は、緊急通話の優先取り扱いを実行する電気コンポーネント７０８を含むことができる。さらに、システム７００は、電気コンポーネント７０４、７０６および７０８に関係する機能を実行するための命令を保持するメモリ７１２を含むことができる。メモリ７１２の外部にあるように示しているが、電気コンポーネント７０４、７０６および７０８のうちの１つ以上は、メモリ７１２内に存在できることを理解すべきである。
【００６０】
図１０を参照して、公共安全アクセスポイント（ＰＳＡＰ）との通信を確立するときに、ユーザ機器が緊急通話の優先取り扱いを実行することを容易にするシステム７５０を説明する。例えば、システム７５０は、ＵＥとＰＳＡＰとの間のアップリンクおよびダウンリンクの少なくとも一部に参加するか、または、それらを制御するネットワーク内に、少なくとも部分的に存在できる。システム７５０は、機能ブロックを含むように表されており、機能ブロックは、プロセッサ、ソフトウェア、または、これらの組合せ（例えば、ファームウェア）により実現される機能を表す機能ブロックとすることができることを理解すべきである。システム７５０は、共に動作できる電気コンポーネントの論理グループ７５２を含む。例えば、論理グループ７５２は、ユーザ機器とＰＳＡＰとの間でデータパケット通信を転送する電気コンポーネントを含むことができる。さらに、論理グループ７５２は、データパケット通信を緊急通話として識別する電気コンポーネント７５６を含むことができる。さらに、論理グループ７５２は、ユーザ機器が緊急通話の優先取り扱いを実行することを促すために、通話を緊急通話として識別する、通信のためのヘッダを、ＰＳＡＰからユーザ機器に中継する電気コンポーネント７５８を含むことができる。さらに、システム７５０は、電気コンポーネント７５４、７５６および７５８に関係する機能を実行するための命令を保持するメモリ７６２を含むことができる。メモリ７６２の外部にあるように示しているが、電気コンポーネント７５４、７５６および７５８のうちの１つ以上は、メモリ７６２内に存在できることを理解すべきである。
【００６１】
図１１を参照して、公共安全アクセスポイント（ＰＳＡＰ）と通信するユーザ機器を使用して、緊急通話の優先取り扱いを実行する装置８００を説明する。手段８０２が、ユーザ機器において、ＰＳＡＰとのデータパケット通信を確立するために提供される。手段８０４が、データパケット通信を緊急通話として識別するために提供される。手段８０６が、緊急通話の優先取り扱いを実行するために提供される。
【００６２】
図１２において、公共安全アクセスポイント（ＰＳＡＰ）との通信を確立しているユーザ機器により緊急通話の優先取り扱いを実行することを容易にする装置８５０を説明する。手段８５２が、ユーザ機器とＰＳＡＰとの間のデータパケット通信を転送するために提供される。手段８５４が、データパケット通信を緊急通話として識別するために提供される。手段８５６が、ユーザ機器が緊急通話の優先取り扱いを実行することを促すために、通話を緊急通話として識別する、通信のためのヘッダを、ＰＳＡＰからユーザ機器に中継するために提供される。
【００６３】
本明細書は、本発明の特定の例を記述しているが、当業者は、発明の概念から逸脱することなく、本発明のバリエーションを考案できる。例えば、ここでの教示は、回線交換ネットワークを参照するが、同様に、パケット交換ドメインネットワーク要素に適用可能である。
【００６４】
さまざまな異なる技術および技法のいずれかを使用して情報および信号を表わしてもよいことを、当業者は理解するであろう。例えば、電圧、電流、電磁波、磁界または磁気粒子、光領域または光粒子、あるいはそれらの任意の組み合わせにより、上の記述を通して参照されているデータ、命令、コマンド、情報、信号、ビット、シンボルおよびチップを表わしてもよい。
【００６５】
電子ハードウェア、コンピュータソフトウェアまたは両方の組み合わせとして、ここで開示した例に関して記述したさまざまな実例となる論理ブロック、モジュール、回路、方法およびアルゴリズムを実現してもよいことを、当業者はさらに理解するであろう。ハードウェアおよびソフトウェアのこの互換性を明瞭に説明するために、さまざまな実例となるコンポーネント、ブロック、モジュール、回路、方法およびアルゴリズムをそれらの機能の点から一般的に上述した。このような機能がハードウェアまたはソフトウェアとして実現されるかどうかは、特定の用途およびシステム全体に課される設計制約に依存する。当業者は、特定の各用途に対して、さまざまな方法で、記述した機能を実現するかもしれないが、そのような実現の決定は、本開示の範囲からの逸脱を生じさせるものとして解釈すべきではない。
【００６６】
汎用プロセッサ、デジタル信号プロセッサ（ＤＳＰ），特定用途向け集積回路（ＡＳＩＣ），フィールドプログラム可能ゲートアレイ（ＦＰＧＡ）または他のプログラム可能論理デバイス、ディスクリートゲートまたはトランジスタ論理、ディスクリートハードウェアコンポーネント、あるいはここで記述した機能を実行するために設計された、これらの任意の組み合わせにより、ここで開示した例に関して記述した、さまざまな実例となる、論理ブロック、モジュールおよび回路を実現または実行してもよい。汎用プロセッサはマイクロプロセッサでもよいが、代わりに、プロセッサは任意の従来のプロセッサ、制御装置、マイクロ制御装置、または状態遷移機械であってもよい。計算デバイスの組み合わせ、例えば、ＤＳＰとマイクロプロセッサとの組み合わせ、複数のマイクロプロセッサ、ＤＳＰコアに関連した１つ以上のマイクロプロセッサ、または他の任意のこのような構成として、プロセッサを実現してもよい。
【００６７】
ここで開示した例に関して記述した方法またはアルゴリズムを、ハードウェア中で直接、プロセッサにより実行されるソフトウェアモジュール中で、またはその２つの組み合わせ中で具体化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ，または技術的に知られている他の任意の形態の記憶媒体中に存在してもよい。プロセッサが記憶媒体から情報を読み取ることができ、記憶媒体に情報を書き込むことができるように、記憶媒体はプロセッサに結合されていてもよい。代わりに、記憶媒体はプロセッサと一体化されていてもよい。プロセッサおよび記憶媒体は、ＡＳＩＣ中に存在してもよい。ＡＳＩＣはユーザ端末中に存在してもよい。
【００６８】
１つ以上の例示的な設計において、記述した機能は、ハードウェア、ソフトウェア、ファームウェア、またはこれらの任意の組み合わせ中で実現してもよい。ソフトウェアにおいて実現する場合、コンピュータ読み取り可能媒体上に、１つ以上の命令またはコードとして、機能を記憶させてもよく、または機能を送信してもよい。コンピュータ読み取り可能媒体は、コンピュータ記憶媒体と、ある場所から別の場所へのコンピュータプログラムの転送を容易にする何らかの媒体を含む通信媒体との両方を含む。記憶媒体は、コンピュータによりアクセスできる任意の利用可能な媒体であってもよい。一例として、限定ではないが、そのようなコンピュータ読み取り可能媒体は，ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコードを搬送または記憶するために使用でき、そして、コンピュータによりアクセスできる他の任意の媒体を備えることができる。さらに、いくつかの接続は、適切にコンピュータ読み取り可能媒体と呼ばれる。例えば、ソフトウェアが、同軸ケーブル、光ファイバケーブル、ツイストペア線、デジタル加入者線（ＤＳＬ）、または、赤外線、無線、およびマイクロ波のようなワイヤレス技術を使用して、ウェブサイト、サーバまたは他のリモート情報源から送信される場合、同軸ケーブル、光ファイバケーブル、ツイストペア線、ＤＳＬ、または、赤外線、無線、およびマイクロ波のようなワイヤレス技術は、媒体の定義に含まれる。ここで使用されるディスク（Ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含み、ディスク（ｄｉｓｋ）は通常、磁気的にデータを再生し、一方、ディスク（ｄｉｓｃ）は、レーザにより光学的にデータを再生する。上述の組み合わせもまた、コンピュータ読み取り可能媒体の範囲内に含まれるべきである。
【００６９】
例として、事例として、あるいは実例として機能することを意味するために、“例示的な”という文言をここで使用する。“例示的な”ものとして、ここで記述するいずれの観点も、他の観点と比較して、必ずしも、好ましいまたは効果的なものと解釈されるものではない。開示した観点を、以下の技術のいずれか１つまたは組み合わせに適用してもよい：コード分割多元接続（ＣＤＭＡ）システム、複数搬送波ＣＤＭＡ（ＭＣ−ＣＤＭＡ）、広帯域ＣＤＭＡ（Ｗ−ＣＤＭＡ）、高速パケットアクセス（ＨＳＰＡ、ＨＳＰＡ＋）、時分割多元接続（ＴＤＭＡ）システム、周波数分割多元接続（ＦＤＭＡ）システム、直交周波数分割多元接続（ＯＦＤＭＡ）システム、または他の多元接続技術。ワイヤレス通信システムは、ＩＳ−９５、ｃｄｍａ２０００、ＩＳ−８５６、Ｗ−ＣＤＭＡ、ＴＤ−ＳＣＤＭＡ、および他の標準規格のような、１つ以上の標準規格を実現するように設計されていてもよい。開示した観点は、ワイヤレス通信ネットワークに対してだけでなく、ワイヤード通信ネットワークに対して適用してもよい。
【００７０】
上述したものは、さまざまな観点の例を含む。もちろん、さまざまな観点を記述する目的のために、コンポーネントまたは方法のすべての考えられる組み合わせを記述することは可能ではないが、当業者は、多くのさらなる組み合わせおよび順列が可能であることを認識し得る。したがって、主題の明細書は、すべてのそのような変更、修正および変形を包含するように向けられており、これらは特許請求の範囲の精神および範囲内にある。
【００７１】
特に、上述したコンポーネント、デバイス、回路、システム、および、これらに類似するものにより実行されるさまざまな機能に関して、そのようなコンポーネントを記述するために使用される（“手段”への参照を含む）用語は、特に示さない限り、たとえ、ここでの実例となる例示的な観点における機能を実行する開示した構造に構造的に同等でなくとも、記述したコンポーネントの指定された機能を実行する何らかのコンポーネント（例えば、機能的同等）に対応するように向けられている。この点に関しては、さまざまな観点は、システムだけでなく、さまざまな方法の動作および／またはイベントを実行するためのコンピュータ実行可能命令を有するコンピュータ読み取り可能媒体も含むことが認識されるであろう。
【００７２】
さらに、いくつかの構成のうちの１つだけに関して特定の特徴を開示しているかもしれないが、そのような特徴は、何らかの所定の、または、特定のアプリケーションに対して望ましく有利であるような、他の構成の他の１つ以上の特徴と組み合わせてもよい。用語“含む”および“含んでいる”およびこれらの変形が詳細な説明または特許請求の範囲のいずれかで使用される限り、これらの用語は、用語“具備する”と類似して包括的であるように向けられている。さらに、詳細な説明または特許請求の範囲のいずれかにおいて使用される用語“または”は、“非排他的論理和”であることを意味している。
【００７３】
さらに、理解されるように、開示したシステムおよび方法のさまざまな部分は、人工知能、マシン学習、あるいは知識またはルールベースのコンポーネント、サブコンポーネント、プロセス、手段、方法またはメカニズム（例えば、サポートベクタマシン、ニューラルネットワーク、エキスパートシステム、ベイジアン信念ネットワーク、ファジイ論理、データフュージョンエンジン、分類器．．．）を含んでいてもよい。そのようなコンポーネントは、とりわけ、実行されるいくつかのメカニズムまたは処理を自動化して、それにより、システムおよび方法の一部を、より適応性のあるものにさせるだけでなく、より効率的および知的にさせることができる。一例として、限定ではないが、進化型ＲＡＮ（例えば、アクセスポイント、ｅノードＢ）は、ロバストな、または、強化されたチェックフィールドが用いられているとき、推論または予測できる。
【００７４】
本出願中で使用されるような、用語“コンポーネント”、“モジュール”、“システム”、およびこれらに類似するものは、コンピュータ関連エンティティ、ハードウェア、ハードウェアとソフトウェアとの組み合わせ、ソフトウェアまたは実行中のソフトウェアを指すように向けられている。例えば、コンポーネントはプロセッサ上で実行するプロセス、プロセッサ、オブジェクト、実行ファイル、実行のスレッド、プログラム、および／またはコンピュータであってもよいが、それだけに限られない。実例として、サーバ上で実行するアプリケーションとサーバとの両方をコンポーネントとすることができる。１つ以上のコンポーネントが１つのプロセスおよび／または実行のスレッド内に存在してもよく、コンポーネントが１つのコンピュータ上にローカライズされてもよく、および／または２つ以上のコンピュータ間に分散されてもよい。
【００７５】
例として、事例として、あるいは実例として機能することを意味するために、“例示的な”という文言をここで使用する。“例示的な”ものとして、ここで記述するいずれの観点および設計も、他の観点または設計と比較して、必ずしも、好ましいまたは効果的なものと解釈されるものではない。
【００７６】
さらに、標準プログラミングおよび／または工学技術を使用して、ソフトウェア、ファームウェア、ハードウェア、または、開示した観点を実現するためにコンピュータを制御する、これらの任意の組合せを生成させる方法、装置、または製造品として、１つ以上のバージョンを実現してもよい。ここで使用する用語“製造品”（または、代替として、“コンピュータプログラムプロダクト”）は、任意のコンピュータ読み取り可能デバイス、キャリア、または媒体からアクセス可能なコンピュータプログラムを含むように向けられている。例えば、コンピュータ読み取り可能媒体は、磁気記憶デバイス（例えば、ハードディスク、フロッピー（登録商標）ディスク、磁気ストリップなど）、光ディスク（例えば、コンパクトディスク（ＣＤ）、デジタルバーサタイルディスク（ＤＶＤ）など）、スマートカード、およびフラッシュメモリデバイス（例えば、カード、スティック、キードライブなど）を含むことができるが、それらに限定されない。さらに、搬送波を用いて、電子メールを送受信する際に、あるいは、インターネットまたはローカルエリアネットワーク（ＬＡＮ）のようなネットワークにアクセスする際に使用されるようなコンピュータ読み取り可能電子データを搬送できることを理解すべきである。もちろん、当業者は、開示した観点の範囲から逸脱することなく、多くの修正をこの構成に対して実施してもよいことを認識するであろう。
【００７７】
多数のコンポーネント、モジュールおよびこれらに類似するものを含んでいてもよいシステムに関して、さまざまな観点を与えるであろう。さまざまなシステムは、追加のコンポーネント、モジュールなどを含んでいてもよく、および／または、図に関して説明した、コンポーネント、モジュールなどのすべてを含まなくてもよいことを理解および認識すべきである。これらのアプローチの組み合わせを使用してもよい。ここで開示したさまざまな観点は、タッチスクリーン表示技術ならびに／あるいは、マウスおよびキーボードタイプのインターフェースを利用するデバイスを含む電気デバイスに対して実行できる。そのようなデバイスの例は、コンピュータ（デスクトップおよび移動）、スマート電話機、パーソナルデジタルアシスタント（ＰＤＡ）、ならびに、ワイヤードおよびワイヤレスの両方の他の電子デバイスを含む。
【００７８】
上述した例示的なシステムを考慮して、開示した主題事項にしたがって実現してもよい方法を、いくつかのフロー図を参照して説明している。説明を簡単にするために、一連のブックとして、方法を示し、説明しているが、いくつかのブロックは、ここで描写し、記述した順序とは異なる順序で発生してもよく、および／または他のブロックと同時に発生してもよいことから、請求される主題事項は、ブロックの順序により限定されないことを理解および認識すべきである。さらに、ここで記述した方法を実現するのに、説明したすべてのブロックを必要としなくてもよい。さらに、ここで開示した方法は、そのような方法をコンピュータに移動および転送することを容易にする製造物上に記憶できることをさらに理解すべきである。ここで使用するとき、用語製造物の用語は、何らかのコンピュータ読み取り可能デバイスからアクセス可能なコンピュータプログラムを包含するように向けられている。
【００７９】
全部または一部、参照によりここに組み込まれると言われている、何らかの特許、刊行物、または、他の開示材料は、組み込まれる材料が、既存の定義、言明、または、本開示中で示した他の開示材料と矛盾しない範囲のみにおいてここに組み込まれている。したがって、必要な範囲で、ここで明確に示されている開示は、参照によりここに組み込まれている何らかの矛盾する材料に取って代わる。参照によりここに組み込まれると言われているが、既存の定義、言明、または、ここで示した他の開示材料に矛盾する、何らかの材料またはこれらの一部は、組み込まれる材料と、既存の開示材料との間で、いかなる矛盾も生じない範囲のみにおいて組み込まれるであろう。
【図１】
2011523266.tif 000003
【図２】
2011523266.tif 000004
【図３Ａ】
2011523266.tif 000005
【図３Ｂ】
2011523266.tif 000006
【図４】
2011523266.tif 000007
【図５】
2011523266.tif 000008
【図６】
2011523266.tif 000009
【図７】
2011523266.tif 000010
【図８】
2011523266.tif 000011
【図９】
2011523266.tif 000012
【図１０】
2011523266.tif 000013
【図１１】
2011523266.tif 000014
【図１２】
2011523266.tif 000015
【国際調査報告】
2011523266.tif 000016
2011523266.tif 000017
2011523266.tif 000018
2011523266.tif 000019